(57)【要約】【課題】高輝度の実現と低輝度時の低ノイズ性、低消費電力を図るようにした表示器を提供すること。【解決手段】電源電圧を個別に変更できる電源部１２と、この電源部からの電源供給を任意のタイミングでオンオフできる電源切り替え回路１３と、この電源切り替え回路を介して電源部から電源供給を受ける複数の発光素子１１と、この発光素子を点灯駆動するため、各発光素子にそれぞれ接続された複数の駆動回路１４と、複数の駆動回路のうち１つの駆動回路１４Ａと複数の発光素子１１との間に接続された逆流防止回路１５を備え、駆動回路は、高輝度時は複数の発光素子に対して同時に点灯駆動し、低輝度時は各発光素子を時分割で点灯駆動するようにした。【選択図】図４
2015014700.tif 000002
【特許請求の範囲】
【請求項１】
電源電圧を個別に変更できる電源部、この電源部からの電源供給を任意のタイミングでオンオフできる電源切り替え回路、この電源切り替え回路を介して前記電源部から電源供給を受ける複数の発光素子、この発光素子を点灯駆動するため、各発光素子にそれぞれ接続された複数の駆動回路、前記複数の駆動回路のうち１つの駆動回路と前記複数の発光素子との間に接続された逆流防止回路、前記電源部と前記電源切り替え回路と前記駆動回路を制御する制御部を備え、前記駆動回路は、高輝度時は前記複数の発光素子に対して同時に点灯駆動し、低輝度時は各発光素子を時分割で点灯駆動するようにした表示器。
【請求項２】
前記逆流防止回路は、前記発光素子に接続された端子側が正極で、前記駆動回路に接続された端子側が負極のダイオードで構成された請求項１に記載の表示器。
【請求項３】
前記逆流防止回路は、開閉可能な接続回路で構成された請求項１に記載の表示器。
【請求項４】
前記駆動回路と前記逆流防止回路を１つのＩＣに内蔵した駆動部とした請求項３に記載の表示器。
【請求項５】
前記電源部は、高輝度時に前記逆流防止回路が接続された駆動回路により駆動する発光素子に供給する電源電圧を、その他の駆動回路により駆動する発光素子に供給する電源電圧よりも高くしたことを特徴とする請求項１乃至請求項４のいずれか１項に記載の表示器。
【請求項６】
前記電源部は、低輝度時に前記逆流防止回路が接続された駆動回路により駆動する発光素子に供給する電源電圧を、その他の駆動回路により駆動する発光素子に供給する電源電圧よりも低くしたことを特徴とする請求項１乃至請求項５のいずれか１項に記載の表示器。
【発明の詳細な説明】
【技術分野】
【０００１】
この発明は大型の映像表示装置などに使用される表示器に関するもので、特に動的にスキャン数を変更可能な表示器に関するものである。
【背景技術】
【０００２】
従来の表示器として、複数の発光素子に対して所定間隔で各別にパルス通電を行う複数の駆動制御線と、複数の発光素子にオンまたはオフ状態に遷移するパルス電圧を供給するパルス電圧供給線とを備え、パルス電圧供給線がオン状態に遷移した期間に、複数の駆動制御線を所定時間ずつ遅れて駆動することにより、複数の発光素子のすべてを異なるタイミングで動作させ、これによりピーク電流が集中するのを排除して、電流増加に伴うノイズを抑制するようにしたものがある（特許文献１参照）。
【０００３】
また、同様の表示器として、複数の発光素子（ＬＥＤ）を並列にしたＬＥＤ発光部と、各ＬＥＤに対して所定間隔で順に同一パルス幅でパルス通電するＬＥＤ駆動制御部とを備え、ＬＥＤ駆動制御部は並列接続したＬＥＤ毎に、パルス通電の１周期を所定周期ずつずらして順に駆動することにより、大電流の通電に伴うノイズの発生を低減するようにしたものがある（特許文献２参照）。
【先行技術文献】
【特許文献】
【０００４】
【特許文献１】特開２０１１−２２１２６２号公報
【特許文献２】特開２００８−９１３１１号公報
【発明の概要】
【発明が解決しようとする課題】
【０００５】
特許文献１、２では、発光素子を時分割で駆動する場合に、遅延時間を設けて発光素子の動作させるタイミングを異なるものとすることで、ピーク電流が生じるタイミングが分散されて、電源電圧が急激に低下する不具合や電流増加によって発生するノイズを抑制することを述べている。
しかしながら、全ての発光素子の作動タイミングをずらすことによって、パルス幅駆動に伴う発光素子当たりでの発光時間が減ってしまい、発光輝度が低くなることに対する解決策は示されていない。
【０００６】
この発明は上記のような課題を解決するためになされたものであり、高輝度設定時と低輝度設定時とで発光素子の点灯数を変更することで、高輝度の実現と低輝度時の低ノイズ性、低消費電力を図るようにした表示器を提供することを目的とするものである。
【課題を解決するための手段】
【０００７】
この発明に係る表示器は、電源電圧を個別に変更できる電源部、この電源部からの電源供給を任意のタイミングでオンオフできる電源切り替え回路、この電源切り替え回路を介して電源部から電源供給を受ける複数の発光素子、この発光素子を点灯駆動するため、各発光素子にそれぞれ接続された複数の駆動回路、複数の駆動回路のうち１つの駆動回路と複数の発光素子との間に接続された逆流防止回路、電源部と電源切り替え回路と駆動回路を制御する制御部を備え、駆動回路は、高輝度時は複数の発光素子に対して同時に点灯駆動し、低輝度時は各発光素子を時分割で点灯駆動するようにしたものである。
【発明の効果】
【０００８】
この発明によれば、低輝度設定時には同時スイッチングによるノイズや大きなドロップ電圧による無駄な電力消費を抑制でき、しかも発光輝度を高くすることができる。また、電源電圧も動的に変えることにより、発光に寄与しない無効電力となるドロップ電圧分を加算しなくてもよい電源電圧にすることができるため、低消費電力に繋がる。
【図面の簡単な説明】
【０００９】
【図１】この発明の表示器が適用される映像表示装置の一例の概要を示す構成図である。
【図２】この発明の表示器に使用される点灯ユニットを示す図である。
【図３】この発明の表示器に使用される点灯ユニットのスキャン例を示す図である。
【図４】この発明の実施の形態１における表示器の構成を示す図である。
【図５】この発明の実施の形態１に係る表示器の発光素子の駆動制御時の状態図である。
【図６】この発明の実施の形態１における表示器に使用される電源部の電源電圧の関係を示す図である
【図７】この発明の実施の形態１に係る表示器の輝度とスキャンデューティの関係を示す制御模式図である。
【図８】この発明の実施の形態２における表示器の構成を示す図である。
【図９】この発明の実施の形態３における表示器の構成を示す図である。
【発明を実施するための形態】
【００１０】
実施の形態１．
以下、この発明の実施の形態１における表示器を図１〜図７に基づいて説明する。
図１はこの発明の表示器が適用される映像表示装置の一例の概要を示す構成図、図２は映像表示装置の点灯ユニットを示す図、図３は点灯ユニットのスキャン例を示す図である。
まず、図１〜図３に基づいて、この発明の表示器が適用される映像表示装置の概略について説明する。
【００１１】
図１において、大型の映像表示装置は複数の点灯ユニット１Ａ〜１Ｆ（総称する場合は添字Ａ〜Ｆを省略）を縦横に組み合わせて１つの表示装置が構成される。各点灯ユニット１Ａ〜１Ｆは電源供給部２Ａ〜２Ｃ（総称する場合は添字Ａ〜Ｆを省略）から電源が供給されると共に、映像信号受信及び点灯制御部３Ａ〜３Ｃからの信号によって点灯制御及び電源制御が行われる。映像信号受信及び点灯制御部３Ａ〜３Ｃには映像信号源４から映像信号が供給されるようになっている。
【００１２】
各点灯ユニット１は、図２に示すようにマトリックス状に配置された複数のＬＥＤなどの発光素子１１と、電源部と駆動回路（図２では省略）で構成されている。これらの構成は図４で詳しく説明する。点灯ユニット１は１ライン当たり１６個から３２個の発光素子１１で構成され、図２では１ライン当たり１６個の発光素子１１で構成されたものを示している。
【００１３】
点灯ユニット１の発光素子１１は、時分割ライン切り換えスキャン（ダイナミック）点灯で駆動制御されるようになっており、図３は４ラインを１組とした１／４デューティスキャン（Ｄｕｔｙ  Ｓｃａｎ）の制御模式図の例を示している。
図３において、黒丸は駆動される発光素子（点灯）、白丸は非駆動の発光素子（非点灯）で、左からスキャン［０］の駆動状態、スキャン［１］の駆動状態、スキャン［２］の駆動状態、スキャン［３］の駆動状態を示している。
【００１４】
スキャン［０］の駆動状態では、上から１番目、５番目、９番目、１３番目のラインの発光素子１１が点灯駆動され、スキャン［１］の駆動状態では、上から２番目、６番目、１０番目、１４番目のラインの発光素子１１が点灯駆動され、スキャン［２］の駆動状態では、上から３番目、７番目、１１番目、１５番目のラインの発光素子１１が点灯駆動され、スキャン［３］の駆動状態では、上から４番目、８番目、１２番目、１６番目のラインの発光素子１１が点灯駆動される。
スキャン［０］→スキャン［１］→スキャン［２］→スキャン［３］→スキャン［０］・・と、点灯制御するラインを高速（概ね１〜１０ｍｓ程度以下）で切替えて表示すると、人間の視覚認識としては全発光素子が同時に点灯制御されているように認識される。
【００１５】
上記のように１ラインずつ時分割で発光素子１１を点灯させるのは低輝度時であって、高輝度時は４ライン全ての発光素子１１を同時に点灯させる。このように４ライン全てを同時点灯させる状態と、１ラインずつ時分割で点灯させる状態を変更可能にすることを「動的にスキャン数を変更可能な表示器」と言う。
動的にスキャン数を変更する理由は、低輝度状態での４ライン同時点灯（点灯時間を短く制御）での無駄やスイッチングノイズを抑制させるためである。
また、輝度に応じてスキャンデューティを変更することも行われる。輝度とスキャンデューティの関係は図７で説明する。
【００１６】
図４はこの発明の実施の形態１における表示器（点灯ユニット）の構成を示す図であり、発光素子１１Ａ〜１１Ｄ（ＬＥＤ-Ａ〜ＬＥＤ-Ｄと記す場合がある）と、図１の電源供給部２からケーブルを介して供給される電圧を電源電圧（Ｖ-Ａ、Ｖ-Ｂ、Ｖ-Ｃ、Ｖ-Ｄ）として個別に変更できる電源部１２と、電源部１２からの電源供給を任意のタイミングでオンオフできる複数の電源切り替え回路１３Ａ〜１３Ｄ（ＦＥＴ-Ａ〜ＦＥＴ-Ｄと記す場合がある）と、発光素子１１Ａ〜１１Ｄを点灯駆動するために各発光素子にそれぞれ接続された複数の駆動回路１４Ａ〜１４Ｄ（Ｄｒ-Ａ〜Ｄｒ-Ｄと記す場合がある）と、複数の駆動回路のうち１つの駆動回路１４Ａと複数の発光素子１１Ｂ〜１１Ｄの負極側との間に接続されたダイオード１５Ｂ〜１５Ｄで構成された逆流防止回路と、電源部１２と電源切り替え回路１３Ａ〜１３Ｄと駆動回路１４Ａ〜１４Ｄを制御する制御部１６で構成されている。
【００１７】
電源切り替え回路１３Ａ〜１３Ｄは単なるスイッチで図示しているが、実際は電界効果型トランジスタ（ＦＥＴ）などのスイッチング素子で構成されている。逆流防止回路のダイオード１５Ｂ〜１５Ｄは、発光素子１１Ｂ〜１１Ｄに接続された端子側が正極で、駆動回路１４Ａに接続された端子側が負極となっている。また、発光素子１１Ａ〜１１Ｄは、図３に一点鎖線の楕円で示す４個（４ラインの１列）分の発光素子に相当するものを示している。
【００１８】
図５は図４に示す表示器の発光素子の駆動制御時の状態図を示し、図５（Ａ）は高輝度時の動作、図５（Ｂ）は低輝度時の動作を示している。
図５（Ａ）の高輝度設定時においては、電源切り替え回路１３Ａ〜１３Ｄ（ＦＥＴ-Ａ〜ＦＥＴ-Ｄ）が一括してオンとなるため、（ａ）に示すように駆動回路１４Ａ〜１４Ｄ（Ｄｒ-Ａ〜Ｄｒ-Ｄ）が同時に駆動されると、発光素子１１Ａ〜１１Ｄ（ＬＥＤ-Ａ〜ＬＥＤ-Ｄ）も同時に点灯される（黒塗個所がＯＮ（点灯動作）を示す）。
【００１９】
このとき電源供給部２から電源部１２に流れる電流量は（ｃ）に示すように大きくなる方向に変化する。したがって電源供給部２と電源部１２間のケーブルでのドロップ電圧が大きくなり、電源部１２の入力電圧が（ｂ）に示すように大きく低下する。このため、高輝度時は電源供給部２の供給電圧を少し高めにすることで、ドロップ電圧の大きさに対応する必要がある。これにより、駆動回路１４Ａ〜１４Ｄ（Ｄｒ-Ａ〜Ｄｒ-Ｄ）の出力端電圧は（ｄ）に示すように適切な出力端子電圧に保たれることになる。
【００２０】
なお、この時、電源電圧Ｖ-Ｂ、Ｖ-Ｃ、Ｖ-Ｄが電源電圧Ｖ-Ａと同じか高い場合には、駆動回路１４Ａ（Ｄｒ-Ａ）が逆流防止回路のダイオード１５Ｂ〜１５Ｄを通じて発光素子１１Ｂ〜１１Ｄ（ＬＥＤ-Ｂ〜ＬＥＤ-Ｄ）を引き込む状態となるため、電源電圧Ｖ-Ｂ、Ｖ-Ｃ、Ｖ-Ｄは電源電圧Ｖ-Ａに比べて低く設定する。これにより駆動回路１４Ａ（Ｄｒ-Ａ）が作動した場合に、発光素子１１Ｂ〜１１Ｄ（ＬＥＤ-Ｂ〜ＬＥＤ-Ｄ）が駆動回路１４Ａ（Ｄｒ-Ａ）により駆動されない状態とする。
また、電源電圧Ｖ-Ａで、発光素子１１Ａが、駆動回路１４Ｂ〜１４Ｄ（Ｄｒ-Ｂ、Ｄｒ-Ｃ、Ｄｒ-Ｄ）で駆動されないように、逆流防止回路のダイオード１５Ｂ〜１５Ｄを設けている。
即ち、駆動回路１４Ａ（Ｄｒ-Ａ）が動作した場合は発光素子ＬＥＤ-Ａのみが点灯し、駆動回路１４Ｂ（Ｄｒ-Ｂ）が動作した場合は発光素子ＬＥＤ-Ｂのみが点灯するような構成にする。電源電圧の大きさについては図６で詳しく説明する。
【００２１】
一方、図５（Ｂ）の低輝度設定時においては、電源切り替え回路１３Ａ〜１３Ｄ（ＦＥＴ-Ａ〜ＦＥＴ-Ｄ）は個別に順次オン制御され、また駆動回路１４Ａ（Ｄｒ-Ａ）のみがオンとなるため、（ａ）に示すように１つの駆動回路１４Ａ（Ｄｒ-Ａ）が、電源切り替え回路ＦＥＴ-Ａ〜ＦＥＴ-Ｄがオン時に、それに接続された発光素子１１Ａ〜１１Ｄ（ＬＥＤ-Ａ〜ＬＥＤ-Ｄ）のみを順次点灯（時分割で点灯駆動）していく。
【００２２】
このとき電源供給部２から電源部１２に流れる電流量は（ｃ）に示すように高輝度時（一括駆動時）に比べて１／４相当と小さく、したがって電源供給部２と電源部１２間のケーブルでのドロップ電圧は電流が減少したため１／４相当と小さくなる。このため、電源部１２の入力電圧は（ｂ）に示すように低下が少なくなって大きくなり、電源供給部２の供給電圧が高輝度時と同じであれば、駆動回路１４Ａ（Ｄｒ-Ａ）の出力端子電圧は（ｄ）に示すように、ドロップ電圧の減った分だけ上がった出力端子電圧となり、適切な出力端子電圧に対して過剰電圧となる。この過剰電圧×駆動電流＝電力は発光には直接寄与しない無効電力となり、駆動回路１４Ａで消費しなければならない。
【００２３】
そこで、低輝度設定時においては、電源供給部２の供給電圧を電源供給部２と電源部１２間のケーブルでのドロップ分だけ下げることにより無効電力をなくすことができ、そして電源電圧Ｖ-Ｂ、Ｖ-Ｃ、Ｖ-Ｄは逆流防止回路であるダイオード１５Ｂ〜１５Ｄの電圧ドロップ分だけ電源電圧Ｖ-Ａより高くした電圧にすることで、駆動回路１４Ａ（Ｄｒ-Ａ）の出力端子の駆動時電圧を高輝度時と同等の電圧にすることができ、過剰（無駄）電圧を抑制できる。
【００２４】
なお、駆動回路１４Ａが各発光素子１１を時分割駆動する場合は、電源電圧の電圧を逆流防止回路であるダイオード１５Ｂ〜１５Ｄの電圧ドロップ分だけ上げる必要があるが、その値は低輝度設定時における発光素子１１の時分割駆動によるケーブルでのドロップ分だけ電源電圧を下げる値と相殺される方向となる。したがって、電源電圧はダイオード１５Ｂ〜１５Ｄの電圧ドロップ分を加算しなくてよく、低消費電力に繋がる。電源電圧の大きさについては図６で詳しく説明する。
【００２５】
図５において、ＬＥＤ-Ａは１番目のラインに相当する発光素子１１Ａ、ＬＥＤ-Ｂは２番目のラインに相当する発光素子１１Ｂ、ＬＥＤ-Ｃは３番目のラインに相当する発光素子１１Ｃ、ＬＥＤ-Ｄは４番目のラインに相当する発光素子１１Ｄであるから、垂直同期信号の１周期において、高輝度時は４つの発光素子１１が同時に点灯し、低輝度時は各発光素子１１を時分割で点灯駆動していることになる。
【００２６】
図６は電源部１２の出力である電源電圧の関係を示す図で、図６（ａ）は高輝度モード時の場合、図６（ｂ）は低輝度モード時の場合を示す。
図６（ａ）の高輝度時の場合は、電源電圧Ｖ-Ａはその基準電圧（０Ｖ）に対してＶ-Ａの電圧差を有し、電源電圧Ｖ-Ｂ、Ｖ-Ｃ、Ｖ-Ｄはその基準電圧（―ＸＶ）に対してＶ-Ｂ、Ｖ-Ｃ、Ｖ-Ｄの電圧差を有しているが、電源電圧Ｖ-Ｂ、Ｖ-Ｃ、Ｖ-Ｄは基準電圧（０Ｖ）よりも大きく電源電圧Ｖ-Ａより小さい値に設定される。
【００２７】
一方、図６（ｂ）の低輝度時の場合は、電源電圧Ｖ-Ｂ、Ｖ-Ｃ、Ｖ-Ｄの基準電圧は電源電圧Ｖ-Ａの基準電圧（０Ｖ）と同じにし、電源電圧Ｖ-Ａは基準電圧（０Ｖ）に対してＶ-Ａの電圧差を有し、電源電圧Ｖ-Ｂ、Ｖ-Ｃ、Ｖ-Ｄは基準電圧（０Ｖ）に対してＶ-Ｂ、Ｖ-Ｃ、Ｖ-Ｄの電圧差を有しているが、電源電圧Ｖ-Ｂ、Ｖ-Ｃ、Ｖ-Ｄは電源電圧Ｖ-Ａより大きい値に設定され、その値はダイオードの電圧ドロップ分だけ電源電圧Ｖ-Ａより高くした電圧にする。
【００２８】
以上のように発光素子１１の駆動回路１４の作動タイミングを、高輝度設定時と低輝度設定時で動的に変えることで、低輝度設定時にはスイッイングによるノイズや無駄な電力消費を抑制できると共に、高輝度を出せることになる。
また、大きなドロップ電圧の抑制は、駆動回路１４の作動タイミングを変えるのと同時に発光素子１１の駆動電圧も調整することで実現できる。
【００２９】
発光素子１１の駆動回路１４の電源電圧を駆動回路群ごとに動的に変えることにより、電流の逆流防止回路であるダイオード１５Ｂ〜１５Ｄを常に逆バイアスとして、駆動回路１４Ａが作動したときに、駆動回路１４Ｂが制御するべき発光素子１１Ｂにも制御が波及しないようにする。こうすることにより、発光に寄与しない無効電力となるドロップ電圧分を加算しない電圧とできるため、低消費電力につながる。
なお、高輝度設定時は、ドロップ電圧やノイズの抑制ができない構成となるが、常用する輝度領域は大部分が中間域であるため、実際の運用においては効果がでる。
【００３０】
次に図７において、輝度とスキャンデューティの関係について説明する。説明の単純化のため、図７では１／４デューティモードの駆動制御で、輝度レベル８、階調レベル４（０、１、２、３）とした動作としている。
図７（ａ）は高輝度時、図７（ｂ）は低輝度時、図７（ｃ）は参考のため従来方式の低輝度時の状態の制御模式図を示している。図７において黒塗り箇所は発光素子１１が点灯している状態で、そこにある数字１、２、３は単なる長さの単位を示しているに過ぎない。
【００３１】
まず、図７（ａ）の高輝度時（輝度レベル８／８）においては、上から順に、階調レベル０ではスキャン［０］のように発光素子１１は点灯されない。階調レベル２ではスキャン［１］のように発光素子１１が２／３周期で点灯される。階調レベル３ではスキャン［２］のように発光素子１１が３／３周期で点灯される。階調レベル１ではスキャン［３］のように発光素子１１が１／３周期で点灯される。
【００３２】
次に、図７（ｂ）の低輝度時（輝度レベル２／８）においては、上から順に、階調レベル０ではスキャン［０］のように発光素子１１は点灯されない。階調レベル１ではスキャン［１］のようにスキャン［０］から１／４周期後に、発光素子１１が１／４＊１／３の周期で点灯される。階調レベル３ではスキャン［２］のようにスキャン［１］から１／４周期後に、発光素子１１が１／４＊３／３周期で点灯される。階調レベル２ではスキャン［３］のようにスキャン［２］から１／４周期後に、発光素子１１が１／４＊２／３周期で点灯される。
【００３３】
次に、図７（ｃ）の従来方式の低輝度時（輝度レベル２／８）においては、繰り返し周期の１／４周期の同じ時間帯において、上から順に、階調レベル０ではスキャン［０］のように発光素子１１が点灯されない。階調レベル１ではスキャン［１］のように発光素子１１が１／４＊１／３の周期で点灯される。階調レベル３ではスキャン［２］のように発光素子１１が１／４＊３／３周期で点灯される。階調レベル２ではスキャン［３］のように発光素子１１が１／４＊２／３周期で点灯される。
【００３４】
このように低輝度時においては、本願発明は各発光素子１１が時分割で点灯駆動されるのに対し、従来方式では各発光素子１１が同時に点灯駆動されるようになっている。
したがって本願発明においては、低輝度設定時には同時スイッチングによるノイズや大きなドロップ電圧による無駄な電力消費を抑制でき、しかも高輝度が必要な場合には発光輝度を高くすることができる。従来方式では、同時スイッチングによるノイズや大きなドロップ電圧を許容して高輝度を達成するか、同時スイッチングによるノイズや大きなドロップ電圧を抑制できる代わりに高輝度での表示ができない構成とするか、を選択する必要があった。
【００３５】
実施の形態２．
次に、この発明の実施の形態２における表示器（点灯ユニット）を図８に基づいて説明する。
図８は実施の形態２における表示器の構成を示す図であり、実施の形態１の図４に示す逆流防止回路として設けられていたダイオード１５Ｂ〜１５Ｄの代わりに、能動的に経路を切り離すことができる開閉可能な接続回路１７Ｂ〜１７Ｄ（Ｓｗ-Ｂ、Ｓｗ-Ｃ、Ｓｗ-Ｄ）の逆流防止回路としたものである。接続回路１７Ｂ〜１７Ｄとしては半導体スイッチング素子が使用され、制御部１６からの信号でスイッチをオンオフできるようになっている。
その他の構成は実施の形態１と同じにつき、同一または相当部分には同じ符号を付して説明を省略する。
【００３６】
図８においても、高輝度設定時は、電源切り替え回路１３Ａ〜１３Ｄ（ＦＥＴ-Ａ、ＦＥＴ-Ｂ、ＦＥＴ-Ｃ、ＦＥＴ-Ｄ）が一括してオンとなるため、接続回路１７Ｂ〜１７Ｄが接続（オン）状態にある場合には、駆動回路１４Ａ（Ｄr-Ａ）が発光素子１１Ｂ（ＬＥＤ-Ｂ）を引き込む状態となる。
そこで接続回路１７Ｂ〜１７Ｄ（Ｓｗ-Ｂ、Ｓｗ-Ｃ、Ｓｗ-Ｄ）の全部を切り離し（オフ）状態とすることで、駆動回路１４Ａ（Ｄr-Ａ）が作動した場合に発光素子１１Ｂ〜１１Ｄ（ＬＥＤ-Ｂ、ＬＥＤ-Ｃ、ＬＥＤ-Ｄ）が駆動されない状態とする。
【００３７】
低輝度設定時は、電源切り替え回路１３Ａ〜１３Ｄ（ＦＥＴ-Ａ、ＦＥＴ-Ｂ、ＦＥＴ-Ｃ、ＦＥＴ-Ｄ）は個別にオン制御されるため、駆動回路１４Ａ（Ｄr-Ａ）が発光素子１１Ｂ〜１１Ｄ（ＬＥＤ-Ｂ、ＬＥＤ-Ｃ、ＬＥＤ-Ｄ）を順次駆動するため、接続回路１７Ｂ〜１７Ｄは接続（オン）状態とする。
【００３８】
実施の形態２の発明においても、実施の形態１と同様に、発光素子１１の駆動回路１４の作動タイミングを、高輝度設定時と低輝度設定時で動的に変えることで、低輝度設定時にはノイズや無駄な電力消費を抑制できると共に、高輝度を出せることになる。
また、大きなドロップ電圧の抑制は、駆動回路１４の作動タイミングを変えるのと同時に発光素子１１の駆動電圧も調整することで実現できる。
また、電源電圧も動的に変えることにより、発光に寄与しない無効電力となるドロップ電圧分を加算しなくてもよい電源電圧とすることができるため、低消費電力に繋がる。
【００３９】
この実施の形態２の発明では、一つの駆動回路１４Ａ（Ｄｒ-Ａ）と発光素子１１Ｂ〜１１Ｄ（ＬＥＤ-Ｂ〜ＬＥＤ-Ｄ）の間に、逆流防止回路としての接続回路１７Ｂ〜１７Ｄを挿入する必要があるが、ダイオードを使った逆流防止回路１５Ｂ〜１５Ｄに比べて、ダイオードの順方向ドロップ電圧に起因する無効電力を削減できる効果がある。
【００４０】
実施の形態３．
次に、この発明の実施の形態３における表示器（点灯ユニット）を図９に基づいて説明する。
図９は実施の形態３における表示器の構成を示す図であり、実施の形態２の図８に示す逆流防止回路としての接続回路１７Ｂ〜１７Ｄ（Ｓｗ-Ｂ、Ｓｗ-Ｃ、Ｓｗ-Ｄ）を、複数の駆動回路１４Ａ〜１４Ｄ（Ｄｒ-Ａ、Ｄｒ-Ｂ、Ｄｒ-Ｃ、Ｄｒ-Ｄ）と共に、１つのＩＣに内蔵した駆動部１８としたものである。
その他の構成は実施の形態１と同じにつき、同一または相当部分には同じ符号を付して説明を省略する。
【００４１】
図９においても、図８と同様に、高輝度設定時は、電源切り替え回路１３Ａ〜１３Ｄ（ＦＥＴ-Ａ、ＦＥＴ-Ｂ、ＦＥＴ-Ｃ、ＦＥＴ-Ｄ）が一括してオンとなるため、接続回路１７Ｂ〜１７Ｄ（Ｓｗ-Ｂ、Ｓｗ-Ｃ、Ｓｗ-Ｄ）の全部を切り離し（オフ）状態とすることで、駆動回路１４Ａ（Ｄr-Ａ）が作動した場合に発光素子１１Ｂ〜１１Ｄ（ＬＥＤ-Ｂ、ＬＥＤ-Ｃ、ＬＥＤ-Ｄ）が駆動されない状態とする。
低輝度設定時は、電源切り替え回路１３Ａ〜１３Ｄ（ＦＥＴ-Ａ、ＦＥＴ-Ｂ、ＦＥＴ-Ｃ、ＦＥＴ-Ｄ）は個別にオン制御されるため、駆動回路１４Ａ（Ｄr-Ａ）が発光素子１１Ｂ〜１１Ｄ（ＬＥＤ-Ｂ、ＬＥＤ-Ｃ、ＬＥＤ-Ｄ）を駆動するため、接続回路１７Ｂ〜１７Ｄは接続（オン）状態とする。
【００４２】
実施の形態３の発明は、発光素子１１の駆動回路１４を切り替える接続回路１７Ｂ〜１７Ｄを複数の駆動回路１４と共にＩＣ内部に設けて１つの駆動部１８とし、駆動回路１４の作動タイミングを、高輝度設定時と低輝度設定時で動的に変えることで、低輝度設定時にはノイズや無駄な電力消費を抑制できると共に、高輝度を出せる。
また、駆動部１８のＩＣ内部に発光素子１１の駆動電流の切り替える接続回路１７を設けることで、基板上への部品搭載を抑制することができると共に、駆動回路１４の最適化が図りやすくなるため、より消費電力を抑制することが可能となる。
【００４３】
なおこの発明は、その発明の範囲内において、各実施の形態を自由に組み合わせたり、各実施の形態を適宜、変形、省略することが可能である。
【符号の説明】
【００４４】
１１Ａ〜１１Ｄ（ＬＥＤ-Ａ〜ＬＥＤ-Ｄ）：発光素子、    １２：電源部、
１３Ａ〜１３Ｄ（ＦＥＴ-Ａ〜ＦＥＴ-Ｄ）：電源切り替え回路、
１４Ａ〜１４Ｄ（Ｄｒ-Ａ〜Ｄｒ-Ｄ）：駆動回路、
１５Ｂ〜１５Ｄ：ダイオード（逆流防止回路）、    １６：制御部、
１７Ｂ〜１７Ｄ（Ｓｗ-Ｂ、Ｓｗ-Ｃ、Ｓｗ-Ｄ）：接続回路（逆流防止回路）、
１８：駆動部。
【図１】
2015014700.tif 000003
【図２】
2015014700.tif 000004
【図３】
2015014700.tif 000005
【図４】
2015014700.tif 000006
【図５】
2015014700.tif 000007
【図６】
2015014700.tif 000008
【図７】
2015014700.tif 000009
【図８】
2015014700.tif 000010
【図９】
2015014700.tif 000011